(57)【要約】【課題】イベント会場や遊園地などに設置して、使用中、気体漏れ等による形態の崩れを生ずることなく安全に遊ぶことができる遊戯具を提供する。【解決手段】本体１内へ気体を送り込み該本体をさだめられた形態に膨張させて保持させる送気手段２とを備えさせた遊戯具Ａにあって、本体は、外膜体３ａと内膜体４ａとによる二重構造として一側に遊戯者の出入り口５を設けた建造物状の外框体６と、この外框体における外膜体と内膜体との間に形成した気体流動路７と、外框体における内膜体側の内部に形成させた遊戯者を収容し得る遊戯空間部８とを有し、送気手段は、外框体の一側において気体流動路へ臨ませた気体の吐出口９を接続させた気体圧送部材１０と、外框体の適所において複数箇所へ開口させた排気孔１１とを有する。【選択図】    図１
2005131063.tif 000002
【特許請求の範囲】
【請求項１】
本体と、この本体内へ気体を送り込み該本体をさだめられた形態に膨張させて保持させる送気手段とを備えさせた遊戯具にあって、
前記本体は、外膜体と内膜体とによる二重構造として一側に遊戯者の出入り口を設けた建造物状の外框体と、この外框体における外膜体と内膜体との間に形成した気体流動路と、前記外框体における内膜体側の内部に形成させた前記遊戯者を収容し得る遊戯空間部とを有し、
前記送気手段は、前記外框体の一側において前記気体流動路へ臨ませた気体の吐出口を接続させた気体圧送部材と、前記外框体の適所において複数箇所へ開口させた排気孔とを有し、
前記気体圧送部材からは前記気体流動路内へ連続的に気体が圧送され、前記排気孔からは前記気体圧送部材からの気体圧送量より少ない量の気体が連続的に排出されていることを特徴とする遊戯具。
【請求項２】
本体は、外框体の高さ方向に対して直交するように配して、複層に形成された層外框体を設けて、
各層外框体は、外層膜体と内層膜体とによる二重構造として、これら外層膜体と内層膜体との間にそれぞれ層気体流動路を形成してあって、
前記それぞれの層気体流動路は、前記外框体の気体流動路と接続して、気体圧送部材からの気体が相通し得るように形成させたことを特徴とする請求項１記載の遊戯具。
【請求項３】
本体における外框体内部の中央部に、該外框体の内膜体と接続させて立設させた縦框体を設けて、
この縦框体は、一方縦膜体と他方縦膜体とによる二重構造として、これら一方縦膜体と他方縦膜体との間に縦気体流動路を形成してあって、
前記縦気体流動路は、外框体の気体流動路と接続して、気体圧送部材からの気体が相通し得るように形成させたことを特徴とする請求項１記載の遊戯具。
【請求項４】
複層の層外框体を設けた本体における外框体は、その高さ方向の外壁部に位置する縦方向の気体流動路が、
層気体流動路を挟んで接続された上部の気体流動路と下部の気体流動路との接合部において、上部の気体流動路が下部の気体流動路における内膜体の縦延長線上に位置するように設けられたことを特徴とする請求項２または３記載の遊戯具。
【発明の詳細な説明】
【技術分野】
【０００１】
本発明は、気体の圧送による膨張によって所定形状の形態を形成し、これをイベント会場や遊園地などに設置するもので、遊戯使用中、気体漏れ等による形態の崩れを生ずることなく安全に遊ぶことができる遊戯具に関する。
【背景技術】
【０００２】
従来、イベント会場や遊園地などに設置する遊戯具において、気密性を有するシートによって建物や人形等の外枠を構成し、その内部にブロアーなどにより気体を送り込んでドーム形等に形成して、この内部で子供達が飛んだり跳ねたりして遊ぶ遊戯具が知られている。
【０００３】
このものは、外枠の内部へ大量の気体を送り込んで所定の形状に膨らまし、その気体の圧力により外枠の形状を維持させていたものである。
そのため、この外枠の出入り口を常時閉塞して、該外枠の内部を有る程度、密閉状態しておかないと送り込んだ気体が外に漏れて、外枠の形状が萎んで遊戯具として利用できない欠点があった。
特に、外枠の内部へ前記出入り口から一度に大勢の人が入り込んだり、外枠内から大勢の人が出たりすると、この出入り口は長く開放しておくことになって、この間、外枠内の圧入された気体は、該出入り口から外へ漏れで出てしまい、外枠の形状が崩壊してしまって、遊戯者が外枠の内部に取り残されてしまう問題点があった。
【発明の開示】
【発明が解決しようとする課題】
【０００４】
本発明は、前記した問題点を解決するためになされたもので、本体内へ気体を送り込み該本体をさだめられた形態に膨張させて保持させる送気手段とを備えさせた遊戯具にあって、本体は、外膜体と内膜体とによる二重構造として一側に遊戯者の出入り口を設けた建造物状の外框体と、この外框体における外膜体と内膜体との間に形成した気体流動路と、外框体における内膜体側の内部に形成させた遊戯者を収容し得る遊戯空間部とを有し、送気手段は、外框体の一側において気体流動路へ臨ませた気体の吐出口を接続させた気体圧送部材と、外框体の適所において複数箇所へ開口させた排気孔とを有することにより、イベント会場や遊園地などに設置して、使用中、気体漏れ等による形態の崩れを生ずることなく安全に遊ぶことができる遊戯具を提供することを目的としている。
【課題を解決するための手段】
【０００５】
前記した目的を達成するための本発明の手段は、
本体と、この本体内へ気体を送り込み該本体をさだめられた形態に膨張させて保持させる送気手段とを備えさせた遊戯具にあって、
前記本体は、外膜体と内膜体とによる二重構造として一側に遊戯者の出入り口を設けた建造物状の外框体と、この外框体における外膜体と内膜体との間に形成した気体流動路と、前記外框体における内膜体側の内部に形成させた前記遊戯者を収容し得る遊戯空間部とを有し、
前記送気手段は、前記外框体の一側において前記気体流動路へ臨ませた気体の吐出口を接続させた気体圧送部材と、前記外框体の適所において複数箇所へ開口させた排気孔とを有し、
前記気体圧送部材からは前記気体流動路内へ連続的に気体が圧送され、前記排気孔からは前記気体圧送部材からの気体圧送量より少ない量の気体が連続的に排出されている遊戯具の構成にある。
【０００６】
本体は、外框体の高さ方向に対して直交するように配して、複層に形成された層外框体を設けて、
各層外框体は、外層膜体と内層膜体とによる二重構造として、これら外層膜体と内層膜体との間にそれぞれ層気体流動路を形成してあって、
前記それぞれの層気体流動路は、前記外框体の気体流動路と接続して、気体圧送部材からの気体が相通し得るように形成させる。
【０００７】
本体における外框体内部の中央部に、該外框体の内膜体と接続させて立設させた縦框体を設けて、
この縦框体は、一方縦膜体と他方縦膜体とによる二重構造として、これら一方縦膜体と他方縦膜体との間に縦気体流動路を形成してあって、
前記縦気体流動路は、外框体の気体流動路と接続して、気体圧送部材からの気体が相通し得るように形成させる。
【０００８】
複層の層外框体を設けた本体における外框体は、その高さ方向の外壁部に位置する縦方向の気体流動路が、
層気体流動路を挟んで接続された上部の気体流動路と下部の気体流動路との接合部において、上部の気体流動路が下部の気体流動路における内膜体の縦延長線上に位置するように設けられる。
【発明の効果】
【０００９】
本発明は、イベント会場や遊園地などに設置して、使用中に、気体漏れ等による形態の崩れを生ずることなく安全に遊ぶことができる。
【発明を実施するための最良の形態】
【００１０】
次に、本発明に関する遊戯具の一実施例を図面に基づいて説明する。
図１〜図３，図６においてＡは、イベント会場や遊園地などに設置して子供達がその内部などでとんだり跳ねたりして遊ぶことができる遊戯具（空気膜構造）であって、本体１と、この本体１内へ気体を送り込み、該本体１をさだめられた形態に膨張させて保持させる送気手段２とにより基本的に構成される。
【００１１】
前記した本体１は、外膜体３ａと内膜体４ａとによる二重構造として一側に遊戯者の出入り口５を設けた建造物状の外框体６と、この外框体６における外膜体３ａと内膜体４ａとの二重構造の間に形成した気体流動路７と、外框体６における内膜体４ａ側の内部に形成させた前記遊戯者を収容し得る遊戯空間部８とを有している。
ここでいう、外膜体３ａと内膜体４ａとによる二重構造とは、その内部に気体流動路７を形成するために二重構造となるものであって、一枚の膜体を丸めて筒状に形成し、その両端末を縫製等により結合させた構成であっても構わない。この場合、外側（外気側）に位置している面が外膜体３ａとなり、内側（遊戯空間部８側）に位置している面が内膜体４ａとなる。
【００１２】
この本体１における外框体６は、キャンバス地やテント地等の布製や合成樹脂製等によるシート状に形成された素材を、城などの建物や船・車などの乗り物，キャラクタ形態など任意な建造物状に形成されているものであり、自立できる構造体である。
また、建造物状の構成および二重構造となる外膜体３ａと内膜体４ａとによる気体流動路７の構成においては、縫製により行うことができる。
【００１３】
該本体１にあって、外框体６の外膜体３ａと内膜体４ａとの二重構造の間に形成した気体流動路７が外周部に、すなわち、本実施例のように城状に形成した場合、底部（いわゆる、土台部分）６ａと、４面の側壁部６ｂ，６ｃ，６ｄ，６ｅと、天井部６ｆとなる外周部に気体流動路７が構成されたいるため、この気体流動路７が外框体６の堅牢となる骨組みを構成している。
【００１４】
前記した送気手段２は、本体１における外框体６の気体流動路７内へ空気（安全性等を有する他の気体であってもよい）等の気体を送り込み、該本体１をさだめられた形態（本実施例にあっては、城の外観）に膨張させてその形態を保持させ、かつ自立させるもので、外框体６の一側適所において気体流動路７内へ臨ませた気体の吐出口９を接続させた気体圧送部材１０と、外框体６の適所において複数箇所へ開口させた排気孔１１とを有している。なお、この排気口１１は、外框体６を布製素材により成形した場合、この外框体６そのものから気体が漏れ出すことで排気されることもある。
【００１５】
そして、この気体圧送部材１０からは気体流動路７内へ連続的に気体が圧送され、気体流動路７内の隅々まで行き渡るもので、排気孔１１からは気体圧送部材１０からの気体圧送量より少ない量の気体が連続的に排出されている。
すなわち、この圧送された気体は、その一部が外気へ排出されるが、その量より多い気体が気体圧送部材１０から連続的に吐出されることで、常に、本体１のさだめられた形態を維持させることができると共、適宜、気体の所定量を排出することで、過剰気体圧送による本体１の破裂を防止する。
なお、排気孔１１は、外框体６における外膜体３ａと内膜体４ａとの縫製によって生ずるその縫い目（あるいは外框体６そのもの）より気体が漏れ出ることで、本体１をさだめられた形態に維持する作用には十分であるが、該遊戯具Ａの撤収時などには、気体流動路７内の気体の迅速な排出が必要であって、この場合、外框体６における外膜体３ａの適所に、ファスナーなどの解放手段による開口１２を設けることで対応することができる。
【００１６】
なお、本発明実施例における本体１は、図２および図３に示すように、外框体６の高さ方向に対して直交するように配して、複層に形成された層外框体１３，１４，１５…を設けることもできる。
【００１７】
すなわち、図１に示すように、外框体６が一階ｂ，二階ｃ，三階ｄ，四階ｅとのように複層階に構築されるものであって、各層外框体１３，１４，１５…は、例えば、複階の建物における天井部に該当するもので、外框体６の外壁に沿って回廊状に該外框体６の外周全周に巡らしてあるもので、この各層外框体１３，１４，１５…が外框体６の空洞となった遊戯空間部８方向（内方）への潰れを防止する耐力体となっている。
また、前記外框体６と同様に、キャンバス地やテント地等の布製や合成樹脂製等によるシート状に形成された素材を用いて成形する。
なお、各層外框体１３，１４，１５…の中間をそれぞれ抜くことで、外框体６の内部は吹抜け状態（複数の階をもつ構造体で二階以上の高さにわたる背の高い内部空間）に形成される。
【００１８】
そして、これら層外框体１３，１４，１５…は、外層膜体１３ａ，１４ａ，１ａ５…と内層膜体１３ｂ，１４ｂ，１５ｂ…とによる二重構造として、これら外層膜体１３ａ，１４ａ，１５ａ…と内層膜体１３ｂ，１４ｂ，１５ｂ…との間にそれぞれ層気体流動路１６，１７，１８…を形成してある。
また、このそれぞれの層気体流動路１６，１７，１８…は、外框体６の気体流動路７と接続して、気体圧送部材１０から圧送される気体が相通し得るように形成させる。
ここでいう、外層膜体１３ａ，１４ａ，１５ａ…と内層膜体１３ｂ，１４ｂ，１５ｂ…とによる二重構造とは、その内部に層気体流動路１６，１７，１８…を形成するために二重構造となるものであって、一枚の膜体を丸めて筒状に形成し、その両端末を縫製等により結合させた構成であっても構わない。この場合、上下方向において一側に位置している面が外層膜体１３ａ，１４ａ，１５ａ…となり、上下方向において他側に位置している面が内層膜体１３ｂ，１４ｂ，１５ｂ…となる。
【００１９】
なお、複層の層外框体１３，１４，１５…を設けた本体１における外框体６は、図６に示すように、その高さ方向の外壁部に位置する縦方向の気体流動路７が、層気体流動路１６，１７，１８…を挟んで接続された上部の気体流動路７と下部の気体流動路７との接合部において、上部の気体流動路７が下部の気体流動路７における内膜体４ａの縦延長線上に位置するように設けられる。
【００２０】
すなわち、同図に示すように、外框体６において、一階ｂと二階ｃとの接合にあっては、二階ｃにおける縦方向の気体流動路７は、該気体流動路７の幅方向における少なくとも一部が、一階ｂにおける縦方向の気体流動路７の幅方向における少なくとも一部に重複する支承寸法ｘ１を形成するように構成されている。同様に、二階ｃと三階ｄとの接合にあっては、重複する支承寸法ｘ２を形成し、三階ｄと四階ｅとの接合にあっては、重複する支承寸法ｘ３を形成するように構成されている。
これにより、二階ｃと三階ｄおよび四階ｅの縦荷重は、縦方向の各階の気体流動路７に支承されるので、縦方向の強度が向上する。
【００２１】
更に、図２および図３等に示すように、本体１における外框体６内部の中央部に、該外框体６の内膜体４ａと接続させて立設させた縦框体２０を設けてある。
この縦框体２０は、前記外框体６と同様に、キャンバス地やテント地等の布製や合成樹脂製等によるシート状に形成された素材を用いて成形されているもので、一方縦膜体２０ａと他方縦膜体２０ｂとによる二重構造として、これら一方縦膜体２０ａと他方縦膜体２０ｂとの間に縦気体流動路２１を形成してある。なお、これら一方縦膜体２０ａと他方縦膜体２０ｂは、一枚の膜体により断面形状円形などの一連に成形してもよい。この場合、左右方向において一側に位置している面が一方縦膜体２０ａとなり、左右方向において他側に位置している面が他方縦膜体２０ｂとなる。
【００２２】
そして、前記した縦気体流動路２１は、外框体６の気体流動路７および必要に応じて層気体流動路１６，１７，１８…と接続して、気体圧送部材１０からの気体が相通し得るように形成させる。
【００２３】
なお、本体１における遊戯空間部８にあってその外框体６の底部６ａ上には、図７に示すように、様々な形態に形成させた遊具２３が設けられているもので、これら遊具２３は、前記外框体６と同様に、キャンバス地やテント地等の布製や合成樹脂製等によるシート状に形成された素材を用いて成形されていて、底部６ａにおける内膜体４ａと一体的にかつ気体流動路７と連通した気体流動路２４を形成してある。この遊具２３は、任意の形態が用いられる。
更に、図１，図２，図６，図８等に示すように、外框体６の外周部適所に、装飾体などの突起物２５が配設されているもので、例えば、外框体６の外周屋根部には人形状等の突起物２５が、また、図８に示すように、出入り口５の近傍には、植木や欄干状の突起物２５が設けられている。
これら突起物２５は、いずれの場合も、前記外框体６と同様に、キャンバス地やテント地等の布製や合成樹脂製等によるシート状に形成された素材を用いて成形されていて、外框体６における外膜体３ａと、および底部６ａにおける内膜体４ａと一体的にかつ気体流動路７と連通した気体流動路２６を形成してある。
【００２４】
したがって、前記のように構成される本発明に係る一実施例の遊戯具Ａは、以下に述べる作用を奏する。
この遊戯具Ａの使用にあっては、本体１を設置場所へ横たえさせ、外框体６の適所（例えば、底部６ａの背面）に設けた気体圧送部材１０の吐出口９から気体を圧送すると、気体流動路７，２４，２６や層気体流動路１６，１７，１８…，縦気体流動路２１へ通孔４０を介して流入する。
そのため、これら気体流動路７，２４，２６や層気体流動路１６，１７，１８…，縦気体流動路２１が膨張し、次第に、高さ方向へ立ち上がって、ついには、図１に示すように、城状の建造物となった遊戯具Ａができあがる。このとき、気体圧送部材１０からの圧送気体は、排気孔１１から適宜外気へ漏れ出すが、その漏れ出し量は、該気体圧送部材１０の気体圧送量よりはるかに少量であるため、城状の建造物となった遊戯具Ａの形態はそのまま維持され、かつ自立される。
【００２５】
また、本体１の外框体６に、複層の層外框体１３，１４，１５…を設けたり、内部に縦框体２０を設けることで、外框体６全体の強度が向上し、本体１の高さが高くなっても構造体としての十分な堅牢さを発揮することができて安全に遊戯者が遊戯空間８内において遊ぶことができる。
加うるに、その高さ方向の外壁部に位置する縦方向の気体流動路７が、層気体流動路１６，１７，１８…を挟んで接続された上部の気体流動路７と下部の気体流動路７との接合部において、上部の気体流動路７が下部の気体流動路７における内膜体４ａの縦延長線上に位置するように設けられるため、二階ｃと三階ｄおよび四階ｅの縦荷重は、縦方向の各階の気体流動路７に支承されるので、縦方向の強度が向上して、一層、外框体６全体の高い強度が得られる。
【図面の簡単な説明】
【００２６】
【図１】本発明に関する遊戯具の一実施例を示す斜視図である。
【図２】図１における遊戯具を縦断して示す正面図である。
【図３】図１における遊戯具を縦断して示す側面図である。
【図４】図１における遊戯具において外框体の底部を横断して示す平面図である。
【図５】図１における遊戯具において層気体流動路部を横断して示す平面図である。
【図６】図１における遊戯具において各階の縦方向の気体流動路の取付関係を示す要部の説明図である。
【図７】図１における遊戯具において外框体の一階部を横断して示す平面図である。
【図８】図１における遊戯具において出入り口付近に設けた突起体を示す要部の説明図である。
【符号の説明】
【００２７】
Ａ…遊戯具．１…本体．２…送気手段．３ａ…外膜体．４ａ…内膜体．５…出入り口．６…外框体．７…気体流動路．８…遊戯空間部．９…吐出口．１０…気体圧送部材．１１…排気孔．１３，１４，１５…層外框体．１３ａ，１４ａ，１５ａ…外層膜体．１３ｂ，１４ｂ，１５ｂ…内層膜体．１６，１７，１８…層気体流動路．２１…縦框体．２０ａ…一方縦膜体．２０ｂ…他方縦膜体．２１…縦気体流動路
【図１】
2005131063.tif 000003
【図２】
2005131063.tif 000004
【図３】
2005131063.tif 000005
【図４】
2005131063.tif 000006
【図５】
2005131063.tif 000007
【図６】
2005131063.tif 000008
【図７】
2005131063.tif 000009
【図８】
2005131063.tif 000010